(57)【特許請求の範囲】
【請求項１】
軸筒の把持部分に形成された小径部に嵌め込まれ、小径部の先端に形成された円環突起と後端に形成された段部で挟圧されて保持される筆記具用グリップにおいて、
前記グリップ内周面の半径は該小径部の半径に等しく、
前記グリップの開口部内面に外部に向かって広がるテーパー部が形成されるとともに、該円環突起の前方に小径円環突起が連設され、
前記円環突起と該小径部外周面の半径の差をＬ３、円環突起と小径円環突起の半径の差をＬ１、グリップ内周面の半径とグリップ開口部の最大半径の差をＬ２とするとき、
Ｌ３＞Ｌ２＞Ｌ１  かつ  Ｌ２＞（Ｌ３−Ｌ１）
であることを特徴とする筆記具用グリップ。
【発明の詳細な説明】
【０００１】
【発明の属する技術分野】
本発明は、筆記具の軸筒の把持部外周に配置される筒状のグリップに関するものである。
【０００２】
【従来の技術】
筆記時に指先を軸筒に確実にフィットさせて書き易くするために軸筒の把持部外周に弾性に富んだ材料からなる筒状のグリップが配置されることが多い。また、このグリップを軸筒に取り付けることにより、外観形状が変化に富むので、意匠的要素としての機能も有する。
【０００３】
【発明が解決しようとする課題】
筒状のグリップを軸筒に保持する構造は、軸筒の把持部分に小径部を形成し、この小径部に嵌め込まれたグリップを小径部の先端に形成された円環突起と後端に形成された段部で挟圧して保持するものが多い。従って、組立時には、軸筒の前方からグリップを差し込み、グリップを弾性変形させて内径を拡開させた状態で円環突起を乗り越えて小径部に嵌め込む。
【０００４】
このため、グリップがシリコンゴムのように弾性に富んだ材料で形成されている場合は比較的容易に組立てることができるが、比較的硬質の合成樹脂で成形されている場合は、弾性変形量が少ないので、円環突起とグリップが嵌め込まれる小径部外周面の半径の差、つまり小径部の外周面から円環突起の頂部までの高さが大きいとグリップを大きく弾性変形させる必要があるので組立てが困難である。しかし、この高さを低くすると使用中にグリップが抜け落ち易い不具合が生じる。すなわち、グリップが比較的硬質の合成樹脂で成形されている場合は、組立ての容易さと確実な保持を両立させるのはなかなか困難である。
【０００５】
そこで本発明は、グリップが比較的硬質の合成樹脂で成形されている場合において、組立ての容易さと確実な保持を両立させることが可能な筆記具用グリップを提供することを目的とする。
【０００６】
【課題を解決するための手段】
かかる目的を達成するために、本発明は、軸筒の把持部分に形成された小径部に嵌め込まれ、小径部の先端に形成された円環突起と後端に形成された段部で挟圧されて保持される筆記具用グリップにおいて、グリップ内周面の半径と軸筒の小径部の半径を等しくし、グリップの開口部内面に外部に向かって広がるテーパー部を形成するとともに、円環突起の前方に小径円環突起を連設し、円環突起と小径部外周面の半径の差をＬ３、円環突起と小径円環突起の半径の差をＬ１、グリップ内周面の半径とグリップ開口部の最大半径の差をＬ２とするとき、Ｌ３＞Ｌ２＞Ｌ１、かつ、Ｌ２＞（Ｌ３−Ｌ１）を満たすようにする。
【０００７】
【発明の実施の形態】
以下に、図面に基づいて本発明の実施の形態を具体的に説明する。図５はグリップ２０を軸筒１０に組み付けた状態を示すが、軸筒１０の筆記時における把持部に形成された小径部に嵌め込まれたグリップ２０は、小径部の先端に形成された円環突起１３と後端に形成された段部１２で挟圧されて保持されている。そして、軸筒１０の先端には先口３０が螺着されている。
【０００８】
図１は軸筒１０の要部の断面図を示すが、軸筒１０の筆記時の把持部には小径部１１が形成されている。そして、小径部１１の尾端側に段部１２が形成され、小径部１１の前方側に円環突起１３が形成されている。つまり、小径部１１は段部１２と円環突起１３で画定されている。また、円環突起１３の前方には小径円環突起１４が一体に連設されている。
なお、円環突起１３と小径部１１外周面の半径の差、つまり小径部１１外周面から円環突起１３の頂部までの高さがＬ３であり、円環突起１３と小径円環突起１４の半径の差、つまり円環突起１３の頂部と小径円環突起１４の頂部の高さの差がＬ１である。
小径部１１の外周面には、嵌め込まれたグリップ２０が回転しないように、微小な縦リブ１５が複数本形成されており、更には、軸筒１０の先端には先口用ねじ１６が形成されている。
【０００９】
グリップ２０は、比較的硬質な合成樹脂にて筒状に成形されたものであり、図２に示すように、外周面には円環状の滑り止め突起２１が複数個形成されている。グリップ２０の長さは段部１２と円環突起１３との間の長さに等しく、グリップ２０内周の半径は小径部１１の半径に等しい。そして、グリップ２０の開口部内面には、外側に向けて広がるテーパー部２２が形成されている。
なお、テーパー部２２は片側の開口部内面のみに設けてもよいが、テーパー部２２を片側の開口部内面のみに設けると、グリップ２０は前後に非対称になって組立て時に前後の方向性を確認する必要があるので、両側の開口部内面に設けるのがよい。そして、グリップ２０内周面の半径とグリップ開口部の最大半径の差がＬ２である。
ここで、Ｌ１、Ｌ２、Ｌ３の間には、Ｌ３＞Ｌ２＞Ｌ１、かつ、Ｌ２＞（Ｌ３−Ｌ１）の関係が満たされている。
【００１０】
しかして、組立てに際しては、軸筒１０の先端部をグリップ２０内に挿入するが、Ｌ２＞（Ｌ３−Ｌ１）であるので、つまり、グリップ２０の内径は小径円環突起１４の外径よりも小さいが、グリップ２０開口部の最大内径が小径円環突起１４の外径よりも大きいので、小径円環突起１４の縁部はグリップ２０内に入り込んでテーパー部２２に当接する。この状態でグリップ２０を押し込むとグリップ２０は弾性変形して前進し、図３に示すように、グリップ２０の内周面は小径円環突起１４の外周面に当接する。
【００１１】
更には、Ｌ２＞Ｌ１であるので、円環突起１３の縁部は、図３に示すように、グリップ２０内に入り込んでテーパー部２２に当接する。この状態でグリップ２０を押し込むとグリップ２０は更に弾性変形し、グリップ２０の内周面が円環突起１３の外周面に当接した状態で前進する。そして、グリップ２０が円環突起１３を乗り越えると、グリップ２０はその弾性変形が復元して小径部１１に嵌め込まれる。
【００１２】
このように、小径円環突起１４の縁部および円環突起１３の縁部が組立て過程において、いずれもグリップ２０の端面に当ることなくテーパー部２２に当り、かつ、グリップ２０は２段階にわたって弾性変形して内径が拡大するので、グリップが比較的硬質の合成樹脂で成形されて弾性変形しにくい場合においても、容易に組立てることができる。
そして、Ｌ３＞Ｌ２であるので、図４に示すように、グリップ２０の端部が円環突起１３の側面に当接し、使用中に脱落することを確実に防止することかできる。
【００１３】
【発明の効果】
以上説明したように、本発明は、軸筒の把持部分に形成された小径部に嵌め込まれ、小径部の先端に形成された円環突起と後端に形成された段部で挟圧されて保持される筆記具用グリップにおいて、グリップ内周面の半径と軸筒の小径部の半径を等しくし、グリップの開口部内面に外部に向かって広がるテーパー部を形成するとともに、円環突起の前方に小径円環突起を連設し、円環突起と小径部外周面の半径の差をＬ３、円環突起と小径円環突起の半径の差をＬ１、グリップ内周面の半径とグリップ開口部の最大半径の差をＬ２とするとき、Ｌ３＞Ｌ２＞Ｌ１、かつ、Ｌ２＞（Ｌ３−Ｌ１）を満たすので、グリップが比較的硬質の合成樹脂で成形されている場合において、組立ての容易さと確実な保持を両立させることが可能な筆記具用グリップとすることができる。
【図面の簡単な説明】
【図１】軸筒の要部の断面図である。
【図２】グリップの断面図である。
【図３】組立て過程の説明図である。
【図４】組立て完了時の要部断面図である。
【図５】グリップの組付け状態の説明図である。
【符号の説明】
１０    軸筒
１１    小径部
１２    段部
１３    円環突起
１４    小径円環突起
１５    縦リブ
１６    先口用ねじ
２０    グリップ
２１    滑り止め突起
２２    テーパー部
３０    先口
【図１】
0003701897.tif 000002
【図２】
0003701897.tif 000003
【図３】
0003701897.tif 000004
【図４】
0003701897.tif 000005
【図５】
0003701897.tif 000006